(57)【特許請求の範囲】
【請求項１】
外径０．１２７０ｍｍ以下の導体を用いたコア上に横巻きシールドを施した構造の極細同軸線を１ｍｍ以下の線間ピッチで２０芯以上並列配置してなり、上記横巻きシールドの巻き方向が右の極細同軸線と上記横巻きシールドの巻き方向が左の極細同軸線とを交互に並列配置してこれらの極細同軸線をテープでラミネートしてフラット化した極細同軸フラットケーブルであって、上記極細同軸フラットケーブルのラミネートテープ及び各極細同軸線のジャケットを一括ストリップして端末側のラミネートテープ及び各極細同軸線のジャケットを除去し、横巻きシールドを露出させたことを特徴とする極細同軸フラットケーブル。
【請求項２】
各極細同軸線のジャケットを形成するテープの巻き方向を隣り合う極細同軸線で異方向にして交互に配列した、請求項１記載の極細同軸フラットケーブル。
【請求項３】
外径０．１２７０ｍｍ以下の導体を用いたコア上に横巻きシールドを施した構造の極細同軸線を１ｍｍ以下の線間ピッチで２０芯以上並列配置してなり、上記横巻きシールドの巻き方向が右の極細同軸線と上記横巻きシールドの巻き方向が左の極細同軸線とを交互に並列配置してこれらの極細同軸線をテープでラミネートしてフラット化した極細同軸フラットケーブルであって、上記極細同軸フラットケーブルのラミネートテープ及び各極細同軸線のジャケットを一括ストリップして端末側のラミネートテープ及び各極細同軸線のジャケットを除去し、横巻きシールドを露出させ、同様にしてストリップした各極細同軸線の各中心導体をコネクター端子または基板の回路にそれぞれ接続してなることを特徴とする請求項１又は２に記載の極細同軸フラットケーブル。
【発明の詳細な説明】
【０００１】
【発明の属する技術分野】
本発明は、極細；３６ＡＷＧ以下の導体を用いたコア上に横巻き仕様のシールドを施した極細同軸線を多数並列して構成された極細同軸フラットケーブルの技術分野に関する。
【０００２】
【従来の技術】
極細同軸線は、ケーブル径をできるだけ細くし、尚且つ屈曲特性を重視することから、絶縁導体よりなるコアの上に施すシールドに横巻きシールドが採用されている。
【０００３】
図３は、この種の極細同軸線の構造例を示したもので、素線を７本撚りして得られた導体１上に絶縁体２を施し、得られたコア上に横巻きシールド３を施し、さらにジャケット４を施したものである。
【０００４】
図４は、上記の構造よりなる極細同軸線８を用い、これを符号５，５，５・・・のように多数並列させてテープでラミネートしてフラット化に構成された極細同軸フラットケーブル９の端末部を示したものである。端末部では、ラミネートテープがストリップされ、各同軸線のジャケットもストリップされて横巻きシールドが図示のように露出される。
【０００５】
ところで、上記のようにして並列される各極細同軸線における横巻きシールドは、従来、いずれの同軸線においても図４に示すように同方向（図４において右巻き）に横巻きされていた。
【０００６】
【発明が解決しようとする課題】
前述した従来；図４の極細同軸フラットケーブル９において、これの端末部で図４のようにストリップし横巻きシールドを露出するとき、真っ直ぐにストリップすることができず、線間ピッチに微妙なバラツキを生じていた。これは、横巻きシールドを施した極細同軸線５を並列配置してフラット化すると、横巻きシールドの横巻き素線が図４のようにすべて斜めで同方向（右方向）に向いていることで、ジャケットをストリップするとき、上記のように斜めに向いている横巻き素線の横巻き回転の力の影響を受けるためである。
【０００７】
また、横巻きのピッチに小さくなると、フラット化した多心同軸のストリップを真っ直ぐに行い難くなり、線間ピッチにバラツキが生じるという問題はさらに大きくなる。線間ピッチがバラツキがあると、各極細同軸線の中心導体を、所定ピッチで並ぶコネクター端子群や基板の回路に接続する際に大変手間がかかるという問題を起こす。
【０００８】
そこで本発明の目的は、並列配置される横巻きシールド採用極細同軸線に対し、ジャケットをスムーズに真っ直ぐ一括ストリップでき、コアの線間ピッチが乱れるのを防止できる、極細同軸フラットケーブル及びその端末部を提供することにある。
【０００９】
【課題を解決するための手段】
本発明により提供する極細同軸フラットケーブルは、外径０．１２７０ｍｍ以下の導体を用いたコア上に横巻きシールドを施した構造の極細同軸線を１ｍｍ以下の線間ピッチで２０芯以上並列配置してなり、上記横巻きシールドの巻き方向が右の極細同軸線と上記横巻きシールドの巻き方向が左の極細同軸線とを交互に並列配置してこれらの極細同軸線をテープでラミネートしてフラット化した極細同軸フラットケーブルであって、上記極細同軸フラットケーブルのラミネートテープ及び各極細同軸線のジャケットを一括ストリップして端末側のラミネートテープ及び各極細同軸線のジャケットを除去し、横巻きシールドを露出させ、もって、ストリップ機で各極細同軸線のジャケットをストリップするとき、真っ直ぐにストリップできるようにしたものである。このように、極細同軸線の上に施す横巻きシールドの巻き方向が隣り合う同軸線で反対とすることで、隣り合う同軸線相互で横巻き回転の及ぼす力をキャンセル；相殺し、隣同士の極細同軸線が持つ力を他の極細同軸線、あるいは、ケーブル全体に影響しないようにしたものである。
【００１１】
また、各極細同軸線のジャケットを形成するテープの巻き方向を隣り合う極細同軸線で異方向にして交互に配列した極細同軸フラットケーブルを提供し得る。
【００１２】
また、本発明により提供する極細同軸フラットケーブルは、外径０．１２７０ｍｍ以下の導体を用いたコア上に横巻きシールドを施した構造の極細同軸線を１ｍｍ以下の線間ピッチで２０芯以上並列配置してなり、上記横巻きシールドの巻き方向が右の極細同軸線と上記横巻きシールドの巻き方向が左の極細同軸線とを交互に並列配置してこれらの極細同軸線をテープでラミネートしてフラット化した極細同軸フラットケーブルであって、上記極細同軸フラットケーブルのラミネートテープ及び各極細同軸線のジャケットを一括ストリップして端末側のラミネートテープ及び各極細同軸線のジャケットを除去し、横巻きシールドを露出させ、同様にしてストリップした各極細同軸線の各中心導体をコネクター端子または基板の回路にそれぞれ接続してなるものである。
【００１３】
【発明の実施の形態】
図１は、本発明に係る極細同軸フラットケーブルの実施例を示したものである。
【００１４】
この実施例の極細同軸フラットケーブルは、図３に示すような構造の極細同軸線８を用い、０．０４mmの銀めっき合金線を７本撚り合わせた導体１に絶縁体２として弗素樹脂を０．１１mm厚に被覆する。得られたコアの上に０．０３２mmの硬銅線で横巻きシールド３を施した。この時、横巻きシールド３の硬銅線の巻き方向が右巻きの極細同軸線と、横巻きシールド３の硬銅線の巻き方向が左巻きの極細同軸線の２種類を製作し、横巻きシールド３上には０．０４mm厚のポリエステルテープを２重巻きしてジャケット４を施した。
【００１５】
このようにして得られた横巻きシールドの横巻き方向が右巻きの極細同軸線と、横巻きシールドの横巻き方向が左巻きの極細同軸線とを、図１の符号５，６（５が右巻きの極細同軸線、６が左巻きの極細同軸線）のように、交互に配列し、線間ピッチ０．６３５mmで７６本を並列に配置し、これらの極細同軸線５，６，５，６・・・に対してテープ７でラミネートして、極細同軸フラットケーブル９´を完成させた。
【００１６】
この極細同軸フラットケーブル９´をストリップ機にセットして、炭酸ガスレーザーにてテープ７と極細同軸線５，６，５，６・・・のすべてのジャケット４に切り込みを入れ、ケーブル９´を上下から押さえ込んだ状態で、テープ７と各極細同軸線のジャケット４をストリップした。
【００１７】
図２は、前述のようにして得られた極細同軸フラットケーブル９´の端末部を示したもので、各極細同軸線５，６，５，６・・・の端末は、横巻きシールドが右巻きと左巻きに交互に配列されている。この各極細同軸線５，６，５，６・・・は、横巻きシールドをストリップし、コアの絶縁体２も同様にストリップして、コネクタに加工する。
【００１８】
このようにストリップした後の線間ピッチにバラツキは認められなかった。これは、フラットケーブル９´の持つ回転による力が隣り合う極細同軸線５，６でキャンセルされ、ストリップ機に影響を及ぶ力に偏りがなく、真っ直ぐにストリップできた結果である。また、ストリップ機への負担も軽減できた。
【００１９】
【発明の効果】
以上説明したように本発明によれば、並列配置される横巻きシールド採用極細同軸線に対し、ジャケットをスムーズに真っ直ぐ一括ストリップでき、コアの線間ピッチが乱れるのを防止できる極細同軸フラットケーブル及びその端末部を提供するという所期の課題；目的を達成することができ、端末加工性及びコネクタ取り付け作業性に優れたこの種の極細フラットケーブルを提供できる。
【図面の簡単な説明】
【図１】本発明に係る極細同軸フラットケーブルの実施例を示す横断面説明図。
【図２】本発明に係る極細同軸フラットケーブルの端末部の実施例を示す正面説明図。
【図３】極細同軸線の横断面説明図。
【図４】従来の極細同軸フラットケーブルの端末部を示す横断面説明図。
【符号の説明】
１  導体
２  絶縁体
３  横巻きシールド
４  ジャケット
５  極細同軸線（横巻きシールド右巻き）
６  極細同軸線（横巻きシールド左巻き）
７  ラミネートテープ
８  極細同軸線
９´  フラットケーブル
【図１】
0004164979.tif 000002
【図２】
0004164979.tif 000003
【図３】
0004164979.tif 000004
【図４】
0004164979.tif 000005